【手続補正書】
【提出日】平成27年5月22日(2015.5.22)
【手続補正１】
【補正対象書類名】特許請求の範囲
【補正対象項目名】全文
【補正方法】変更
【補正の内容】
【特許請求の範囲】
【請求項１】
監視映像の表示モードを切り換える切り換え手段と、
カメラを操作するための機能ダイアログの表示位置及び表示／非表示を監視映像の表示モードごとに記録する記録手段と、
前記切り換え手段による表示モードの切り換え後の表示モードに対して前記記録手段により表示と記録された機能ダイアログを前記表示モードの切り換え後に表示するか否かを、前記カメラの状態に応じて判定する判定手段と、
前記切り換え手段による表示モードの切り換え後に表示すると前記判定手段により判定された機能ダイアログを、前記表示モードの切り換え後の表示モードに対して前記記録手段により記録された表示位置に表示する表示制御を行う表示制御手段とを有することを特徴とする画像表示装置。
【請求項２】
監視映像の表示モードを切り換える切り換え手段と、
カメラを操作するための機能ダイアログの表示位置及び表示／非表示を監視映像の表示モードごとに記録する記録手段と、
前記切り換え手段による表示モードの切り換え後の表示モードに対して前記記録手段により表示と記録された機能ダイアログを、当該切り換え時に前記機能ダイアログの機能がオフされていないと表示し、オフされていると表示しないと判定する判定手段と、
前記切り換え手段による表示モードの切り換え後に表示すると前記判定手段により判定された機能ダイアログを、前記表示モードの切り換え後の表示モードに対して前記記録手段により記録された表示位置に表示する表示制御を行う表示制御手段とを有することを特徴とする画像表示装置。
【請求項３】
前記切り換え手段は、監視映像の表示モードを、表示画面の全部に監視映像表示するモードと、表示画面の一部に監視映像表示するモードとの間で切り換えることを特徴とする請求項１または２に記載の画像表示装置。
【請求項４】
前記判定手段は、前記切り換え手段による表示モードの切り換え後の表示モードに対して前記記録手段により表示と記録された機能ダイアログの機能がオフされている場合、前記記録手段により表示と記録された機能ダイアログを前記表示モードの切り換え後に表示しないと判定することを特徴とする請求項１に記載の画像表示装置。
【請求項５】
前記記録手段は、カメラを操作するための機能ダイアログの表示位置及び表示／非表示を、監視映像の表示モードごと、及び撮影方向ごとに記録し、
前記判定手段は、前記切り換え手段による表示モードの切り換え後の表示モードに対して前記記録手段により表示と記録された機能ダイアログを前記表示モードの切り換え後に表示するか否かを、前記カメラの撮影方向に応じて判定することを特徴とする請求項１に記載の画像表示装置。
【請求項６】
前記表示制御手段は、前記切り換え手段による表示モードの切り換え後に表示すると前記判定手段により判定された機能ダイアログの表示位置を、前記表示モードの切り換え後の表示モードに対して前記記録手段により記録された表示位置から、監視映像の表示位置に応じて変更することを特徴とする請求項１に記載の画像表示装置。
【請求項７】
請求項１〜６の何れか１項に記載の画像表示装置と、監視カメラとを有することを特徴とする監視カメラシステム。
【請求項８】
監視映像の表示モードを切り換える切り換え工程と、
カメラを操作するための機能ダイアログの表示位置及び表示／非表示を監視映像の表示モードごとに記録する記録工程と、
前記切り換え工程による表示モードの切り換え後の表示モードに対して前記記録工程により表示と記録された機能ダイアログを前記表示モードの切り換え後に表示するか否かを、前記カメラの状態に応じて判定する判定工程と、
前記切り換え工程による表示モードの切り換え後に表示すると前記判定工程により判定された機能ダイアログを、前記表示モードの切り換え後の表示モードに対して前記記録工程により記録された表示位置に表示する表示制御を行う表示制御工程とを有することを特徴とする画像表示方法。
【請求項９】
監視映像の表示モードを切り換える切り換え工程と、
カメラを操作するための機能ダイアログの表示位置及び表示／非表示を監視映像の表示モードごとに記録する記録工程と、
前記切り換え工程による表示モードの切り換え後の表示モードに対して前記記録工程により表示と記録された機能ダイアログを、当該切り換え時に前記機能ダイアログの機能がオフされていないと表示し、オフされていると表示しないと判定する判定工程と、
前記切り換え工程による表示モードの切り換え後に表示すると前記判定工程により判定された機能ダイアログを、前記表示モードの切り換え後の表示モードに対して前記記録工程により記録された表示位置に表示する表示制御を行う表示制御工程とを有することを特徴とする画像表示方法。
【請求項１０】
前記切り換え工程は、監視映像の表示モードを、表示画面の全部に監視映像表示するモードと、表示画面の一部に監視映像表示するモードとの間で切り換えることを特徴とする請求項８または９に記載の画像表示方法。
【請求項１１】
監視映像の表示モードを切り換える切り換え手順と、
カメラを操作するための機能ダイアログの表示位置及び表示／非表示を監視映像の表示モードごとに記録する記録手順と、
前記切り換え手順による表示モードの切り換え後の表示モードに対して前記記録手順により表示と記録された機能ダイアログを前記表示モードの切り換え後に表示するか否かを、前記カメラの状態に応じて判定する判定手順と、
前記切り換え手順による表示モードの切り換え後に表示すると前記判定手順により判定された機能ダイアログを、前記表示モードの切り換え後の表示モードに対して前記記録手順により記録された表示位置に表示する表示制御を行う表示制御手順とをコンピュータに実行させることを特徴とするプログラム。
【請求項１２】
監視映像の表示モードを切り換える切り換え手順と、
カメラを操作するための機能ダイアログの表示位置及び表示／非表示を監視映像の表示モードごとに記録する記録手順と、
前記切り換え手順による表示モードの切り換え後の表示モードに対して前記記録手順により表示と記録された機能ダイアログを、当該切り換え時に前記機能ダイアログの機能がオフされていないと表示し、オフされていると表示しないと判定する判定手順と、
前記切り換え手順による表示モードの切り換え後に表示すると前記判定手順により判定された機能ダイアログを、前記表示モードの切り換え後の表示モードに対して前記記録手順により記録された表示位置に表示する表示制御を行う表示制御手順とをコンピュータに実行させることを特徴とするプログラム。
【請求項１３】
前記切り換え手順は、監視映像の表示モードを、表示画面の全部に監視映像表示するモードと、表示画面の一部に監視映像表示するモードとの間で切り換えることを特徴とする請求項１１または１２に記載のプログラム。
【手続補正２】
【補正対象書類名】明細書
【補正対象項目名】００１０
【補正方法】変更
【補正の内容】
【００１０】
しかしながら、あらかじめ紐付されたレイアウトに復元するだけでは、注目部分にカメラ操作ダイアログが重なってしまうなど、必ずしも好適なレイアウト表示をすることができない問題点があった。
本発明は前述の問題点に鑑み、監視映像の表示モード毎にカメラの状態に応じて好適に表示位置及び表示／非表示を制御できるようにすることを目的とする。
【手続補正３】
【補正対象書類名】明細書
【補正対象項目名】００１１
【補正方法】変更
【補正の内容】
【００１１】
本発明の画像表示装置は、監視映像の表示モードを切り換える切り換え手段と、カメラを操作するための機能ダイアログの表示位置及び表示／非表示を監視映像の表示モードごとに記録する記録手段と、前記切り換え手段による表示モードの切り換え後の表示モードに対して前記記録手段により表示と記録された機能ダイアログを前記表示モードの切り換え後に表示するか否かを、前記カメラの状態に応じて判定する判定手段と、前記切り換え手段による表示モードの切り換え後に表示すると前記判定手段により判定された機能ダイアログを、前記表示モードの切り換え後の表示モードに対して前記記録手段により記録された表示位置に表示する表示制御を行う表示制御手段とを有することを特徴とする。
【手続補正４】
【補正対象書類名】明細書
【補正対象項目名】００１２
【補正方法】変更
【補正の内容】
【００１２】
本発明によれば、監視映像の表示モード毎にカメラの状態に応じて好適に表示位置及び表示／非表示を制御することができる。
【手続補正５】
【補正対象書類名】明細書
【補正対象項目名】００３１
【補正方法】変更
【補正の内容】
【００３１】
イベント表示を行うイベント表示ダイアログ３４では、例えば検知プログラム３２０からの通知を受けてイベントを表示したり、接点制御（出力）指示などがイベント表示ダイアログ３４で受け取られたりした場合、ネットワークI/F２９０を介してネットワークI/F１９０へ接点制御指示を伝送し、検知プログラム３２０で受け取られた指示によってI/O機器１６５を制御させる。
【手続補正６】
【補正対象書類名】明細書
【補正対象項目名】００３２
【補正方法】変更
【補正の内容】
【００３２】
パノラマ制御を行うパノラマ画面制御ダイアログ３５では、例えば機器データ３７０に保存されているパノラマ画像を表示し、パノラマ画像上の一部がＧＵＩで指定された場合、ネットワークI/F２９０を介してネットワークI/F１９０へカメラ制御指示を伝送し、雲台制御プログラム３１０で受け取られた指示によって雲台１５５を駆動させる。
【手続補正７】
【補正対象書類名】明細書
【補正対象項目名】００３４
【補正方法】変更
【補正の内容】
【００３４】
次に、本実施形態の表示モード切り換えプログラム４３０の処理の流れのフローチャートを図４に示す。
例えば、現在の監視映像表示モードが通常表示モードであって、全画面表示モードへの切り換えイベントが、操作プログラム４２０から送付された場合、Ｓ４０１で、現在の監視映像表示モードの通常表示モードに紐付けて、機能ダイアログの位置座標（ｘ，ｙ）と表示／非表示の表示データのon/offを表示モードレイアウトデータ４８０として２次記憶装置２３０へ保存する。
【手続補正８】
【補正対象書類名】明細書
【補正対象項目名】００３７
【補正方法】変更
【補正の内容】
【００３７】
カメラ情報には、後述の実施形態で詳述するが、カメラのプリセット情報やマスク情報、可視範囲情報、現在のPTRZ位置などの機器データ３７０に加え、例えば「ビューワーPTZ機能ダイアログは表示onで機能ONになる」、「音声機能ダイアログは表示onでは機能ONにならず、チェックボックスの状態による」などの画像表示装置２００のビューワー３１のカメラ操作情報であるビューワーデータ４７０も含む。
続いてＳ４１０で、復元していない機能ダイアログが残っているか否かを判定し、残っていない場合には処理を終了し、残っている場合にはＳ４２０に進む。
【手続補正９】
【補正対象書類名】明細書
【補正対象項目名】００５４
【補正方法】変更
【補正の内容】
【００５４】
次に、本実施形態の第３の表示モード切り換えプログラム４３２の処理の流れを説明する（図示せず）。
第３の表示モード切り換えプログラム４３２は、第２の実施形態の第２の表示モード切り換えプログラム４３１のＳ４３０'の処理ステップの動作が異なるものである。
Ｓ４３０'と同等な本実施形態の処理のステップでは、判定のために機器データ３７０でカメラのプリセット情報とマスク情報、現在のPTRZ情報を得た上で、指定された位置座標（ｘ，ｙ）での表示が監視映像表示部３２のマスク表示と重なるかどうかも判定材料にする（この処理ステップをＳ４３０''とする（図示せず））。
【手続補正１０】
【補正対象書類名】明細書
【補正対象項目名】００５５
【補正方法】変更
【補正の内容】
【００５５】
機能ダイアログの表示位置が監視映像表示部３２に重なる場合で、かつマスク表示と重なっている場合、または、監視映像表示部３２に重ならない場合は、第２の実施形態のＳ４３０'と同様に、第３の表示モードレイアウトデータ４８２の表示データのon/offに応じて、Ｓ４３１'とＳ４４０と同等のステップに処理を進める。